(57)【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して、前記第１レンズ群と前記第２レンズ群と前記第３レンズ群と前記第４レンズ群が移動することにより、前記第１レンズ群と前記第２レンズ群の間隔が変化し、前記第２レンズ群と前記第３レンズ群の間隔が変化し、前記第３レンズ群と前記第４レンズ群の間隔が変化するズームレンズであって、前記第３レンズ群は、物体側より像側へ順に、正の屈折力の第３ａレンズ群と負の屈折力の第３ｂレンズ群より構成され、前記第３ｂレンズ群は単一の負レンズで構成され、前記第３ａレンズ群を光軸に対して垂直方向の成分を持つように移動させて前記ズームレンズが振動したときの画像のブレを補正し、前記第１レンズ群の焦点距離をｆ１、広角端における全系の焦点距離をｆｗとするとき、
１１．９６２≦ｆ１／ｆｗ＜２０．０
なる条件式を満足することを特徴とするズームレンズ。
【請求項２】
前記第３ａレンズ群の焦点距離をｆ３ａ、前記第４レンズ群の焦点距離をｆ４とするとき、
０．３＜ｆ３ａ／ｆ４＜０．８
なる条件式を満足することを特徴とする請求項１に記載のズームレンズ。
【請求項３】
前記第３ｂレンズ群の焦点距離をｆ３ｂとするとき、
−０．６＜ｆ３ａ／ｆ３ｂ＜−０．１
なる条件式を満足することを特徴とする請求項１または２に記載のズームレンズ。
【請求項４】
前記第１、第３レンズ群の焦点距離を各々ｆ１、ｆ３とするとき、
２．５＜ｆ１／ｆ３＜４．５
なる条件式を満足することを特徴とする請求項１乃至３のいずれか１項に記載のズームレンズ。
【請求項５】
前記第３、第４レンズ群の焦点距離をｆ３、ｆ４とするとき、
０．２＜ｆ３／ｆ４＜１．０
なる条件式を満足することを特徴とする請求項１乃至４のいずれか１項に記載のズームレンズ。
【請求項６】
望遠端における全系の焦点距離をｆｔとするとき、
１８．０＜ｆｔ／ｆｗ＜４０．０
なる条件式を満足することを特徴とする請求項１乃至５のいずれか１項に記載のズームレンズ。
【請求項７】
前記第３ａレンズ群は、少なくとも２枚の正レンズと１枚の負レンズを含むことを特徴とする請求項１乃至６のいずれか１項に記載のズームレンズ。
【請求項８】
前記第１レンズ群は、物体側から像側へ順に、負レンズ、正レンズ、正レンズの３枚のレンズからなることを特徴とする請求項１乃至７のいずれか１項に記載のズームレンズ。
【請求項９】
前記第２レンズ群は、物体側から像側へ順に、負レンズ、負レンズ、負レンズ、正レンズの４枚のレンズからなることを特徴とする請求項１乃至８のいずれか１項に記載のズームレンズ。
【請求項１０】
前記第３ｂレンズ群は、１枚のメニスカス形状の負レンズから構成されることを特徴とする請求項１乃至９のいずれか１項に記載のズームレンズ。
【請求項１１】
前記第４レンズ群は、１枚の正レンズ、または正レンズと負レンズとを接合した接合レンズからなることを特徴とする請求項１乃至１０のいずれか１項に記載のズームレンズ。
【請求項１２】
前記第４レンズ群の像側にズーミングに際して不動の正の屈折力の第５レンズ群を有することを特徴とする請求項１乃至１１のいずれか１項のズームレンズ。
【請求項１３】
前記第３ａレンズ群は、物体側から像側へ順に、正レンズ、像面側の面が凹形状の負レンズ、正レンズより構成されていることを特徴とする請求項１乃至１２のいずれか１項のズームレンズ。
【請求項１４】
前記第３ａレンズ群は、物体側から像側へ順に、正レンズ、像面側の面が凹形状の負レンズ、負レンズと正レンズとを接合した接合レンズより構成されていることを特徴とする請求項１乃至１２のいずれか１項のズームレンズ。
【請求項１５】
固体撮像素子に像を形成することを特徴とする請求項１乃至１４のいずれか１項に記載のズームレンズ。
【請求項１６】
請求項１乃至１５のいずれか１項に記載のズームレンズと、該ズームレンズによって形成される像を受光する固体撮像素子とを有することを特徴とする撮像装置。 
【発明の詳細な説明】
【技術分野】
【０００１】
本発明はズームレンズ及びそれを有する撮像装置に関し、例えばビデオカメラ、電子スチルカメラ、ＴＶカメラ（放送用カメラ）、銀塩写真用のカメラ等に好適なものである。
【背景技術】
【０００２】
近年、固体撮像素子を用いたビデオカメラ、デジタルスチルカメラ、放送用カメラ、そして銀塩フィルムを用いたカメラ等の撮像装置は高機能化され、装置全体が小型化されている。そしてそれに用いる撮影光学系としてレンズ全長が短く、コンパクトで高ズーム比で、かつ全ズーム範囲で高解像力のズームレンズであることが要求されている。
【０００３】
これらの要求に応えるズームレンズとして、物体側の第１レンズ群以外のレンズ群を移動させてフォーカスを行う、所謂リヤーフォーカス式のズームレンズが知られている。
【０００４】
一般にリヤーフォーカス式のズームレンズは第１レンズ群を移動させてフォーカスを行うフロントフォーカス式のズームレンズに比べて第１レンズ群の有効径が小さくなり、レンズ系全体の小型化が容易になる。また近接撮影、特に極至近撮影が容易となり、さらに小型軽量のレンズ群を移動させているので、レンズ群の駆動力が小さくて済み迅速な焦点合わせが出来る等の特徴がある。
【０００５】
リヤーフォーカス式のズームレンズとして、物体側より像側へ順に、正の屈折力の第１レンズ群、負の屈折力の第２レンズ群、正の屈折力の第３レンズ群、正の屈折力の第４レンズ群の４つのレンズ群を有する４群ズームレンズが知られている。
【０００６】
このズームタイプの４群ズームレンズにおいて全てのレンズ群を移動させてズーミングを行った４群ズームレンズが知られている（特許文献１、２）。
【０００７】
又、リヤーフォーカス式のズームレンズとして、物体側より像側へ順に、正、負、正、正、正の屈折力の第１〜第５レンズ群より成る５群ズームレンズが知られている。
【０００８】
このズームタイプの５群ズームレンズにおいて、ズーミングに際して第２、第３レンズ群を移動させ、かつ変倍に伴う像面変動を第４レンズ群を移動させて補正し、合焦の際には第４レンズ群を移動させて行う５群ズームレンズが知られている（特許文献３）。
【０００９】
一方、被写体を撮影するときズームレンズに振動が生じると、撮影画像にブレが生じる。このため、撮影画像のブレを補正する防振機能を有したズームレンズが種々と提案されている。
【００１０】
このうち、前述のズームタイプの４群ズームレンズにおいて第３レンズ群を２つレンズ群より構成し、このうちいずれか一方のレンズ群を光軸に対して垂直方向に振動させて静止画像を得るようにしたズームレンズが知られている（特許文献４〜６）。
【特許文献１】特開２００６−１７１６５５号公報
【特許文献２】特開２００６−１３３６３２号公報
【特許文献３】特開平０６−３１７７５２号公報
【特許文献４】特開平１０−２３２４２０号公報
【特許文献５】特開平０９−２３０２４１号公報
【特許文献６】特開２００２−２４４０３７号公報
【発明の開示】
【発明が解決しようとする課題】
【００１１】
一般にズームレンズを小型化するためには、ズームレンズを構成する各レンズ群の屈折力を強めつつ、各レンズ群のレンズ枚数を削減すれば良い。しかしながら、このようにしたズームレンズは、各レンズ面の屈折力の増加に伴いレンズ肉厚が増してしまい、レンズ全系の短縮効果が不十分になると同時に諸収差の補正が困難になってくる。
【００１２】
また高ズーム比化に伴い、各レンズ及び各レンズ群の組立上の倒れなどの組立誤差が大きくなってくる。レンズ及びレンズ群の偏芯による敏感度が大きいと偏芯による光学性能が大きく劣化し、又防振時の光学性能が大きく劣化してくる。このためズームレンズにおいては、各レンズや各レンズ群の偏芯による敏感度はなるべく小さく構成するのが望ましい。
【００１３】
特許文献４で示されたズームレンズではズーミングに際して第１レンズ群と第３レンズ群が像面に対して固定されている。このため、第１レンズ群が移動して変倍を行うものに比べて、前玉径およびレンズ全長が長くなる。全系の小型化のため、各レンズ群の屈折力を大きく（強く）すると、偏芯による敏感度が高くなり、偏芯による光学性能が劣化したり防振時の光学性能が劣化し、これを補正するのが大変困難になる。
【００１４】
又、特許文献５で示されたズームレンズではズーミングに際して各レンズ群を移動させている。そして、第３レンズ群を正の屈折力の前群と負の屈折力の後群より構成し、前群を光軸に対し垂直方向に移動させて防振を行っている。前群は１枚のレンズより構成され、後群は３枚のレンズで構成されている。
【００１５】
特許文献５において高ズーム比化を図りつつ、防振時における前群の垂直方向の移動量を小さくしようとすると前群の屈折力が大きくなる。前群が１枚のレンズより構成されているため、主に球面収差、コマ収差等の補正が困難になる。逆に前群の正の屈折力を弱めると、防振時に垂直方向に移動する量が大きくなる。この結果、第３レンズ群の有効径が大きくなり、コンパクト化が困難になる。更に偏芯による光学性能の劣化が顕著になる。
【００１６】
また、防振時の光学性能の劣化を補正するために前群のレンズ枚数を増やすと第３レンズ群全体のレンズ枚数が増え、コンパクト化が困難になる。
【００１７】
前述した４群ズームレンズや５群ズームレンズにおいて、高ズーム比とレンズ系全体の小型化を図りつつ、良好な光学性能を得るには、各レンズ群の屈折力やレンズ構成、そして各レンズ群のズーミングに伴う移動条件を適切に設定することが重要となる。
【００１８】
特に防振時において、偏心収差の発生が少なく、良好なる光学性能を維持するには防振レンズ群を含む第３レンズ群のレンズ構成等を適切に設定することが重要になってくる。
【００１９】
これらの構成を適切に設定しないと、高ズーム比を確保しつつ、防振時において高い光学性能を維持するのが大変困難になってくる。
【００２０】
本発明は、光学系全体が小型化で、かつ高ズーム比で振動補償時に良好な画像を維持することができる防振機能を有したズームレンズの提供を目的とする。
【課題を解決するための手段】
【００２１】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して、前記第１レンズ群と前記第２レンズ群と前記第３レンズ群と前記第４レンズ群が移動することにより、前記第１レンズ群と前記第２レンズ群の間隔が変化し、前記第２レンズ群と前記第３レンズ群の間隔が変化し、前記第３レンズ群と前記第４レンズ群の間隔が変化するズームレンズであって、前記第３レンズ群は、物体側より像側へ順に、正の屈折力の第３ａレンズ群と負の屈折力の第３ｂレンズ群より構成され、前記第３ｂレンズ群は単一の負レンズで構成され、前記第３ａレンズ群を光軸に対して垂直方向の成分を持つように移動させて前記ズームレンズが振動したときの画像のブレを補正し、前記第１レンズ群の焦点距離をｆ１、広角端における全系の焦点距離をｆｗとするとき、
１１．９６２≦ｆ１／ｆｗ＜２０．０
なる条件式を満足することを特徴としている。
【発明の効果】
【００２２】
本発明によれば、光学系全体が小型化で、かつ高ズーム比で振動補償時に良好な画像を維持することができる防振機能を有したズームレンズが得られる。
【発明を実施するための最良の形態】
【００２３】
以下、本発明のズームレンズ及びそれを有する撮像装置の実施例について説明する。
【００２４】
本発明のズームレンズは、物体側より像側へ順に、正の屈折力の第１レンズ群、負の屈折力の第２レンズ群、正の屈折力の第３レンズ群、正の屈折力の第４レンズ群を有している。
【００２５】
第４レンズ群の像側に正の屈折力の第５レンズ群を有する場合もある。
【００２６】
広角端から望遠端へのズーミングに際して、少なくとも第１レンズ群が移動する。
【００２７】
後述する各実施例では、第１〜第４レンズ群が移動している。第３レンズ群は物体側より像側へ順に、防振用の正の屈折力の第３ａレンズ群と負の屈折力の第３ｂレンズ群を有している。第３ｂレンズ群は負の単一の負レンズで構成されている。
【００２８】
第３ａレンズ群を光軸に対し垂直方向の成分を持つように移動させて光軸に対し垂直方向に画像を変移させて、画像のブレを補正している。
【００２９】
図１は本発明の実施例１のズームレンズの広角端（短焦点距離端）におけるレンズ断面図である。図２、図３、図４はそれぞれ実施例１のズームレンズの広角端、中間のズーム位置、望遠端（長焦点距離端）における収差図である。
【００３０】
図５は本発明の実施例２のズームレンズの広角端におけるレンズ断面図である。図６、図７、図８はそれぞれ実施例２のズームレンズの広角端、中間のズーム位置、望遠端における収差図である。
【００３１】
図９は本発明の参考例１のズームレンズの広角端におけるレンズ断面図である。図１０、図１１、図１２はそれぞれ参考例１のズームレンズの広角端、中間のズーム位置、望遠端における収差図である。
【００３２】
図１３は本発明の実施例３のズームレンズの広角端におけるレンズ断面図である。図１４、図１５、図１６はそれぞれ実施例３のズームレンズの広角端、中間のズーム位置、望遠端における収差図である。
【００３３】
図１７は本発明の実施例４のズームレンズの広角端におけるレンズ断面図である。図１８、図１９、図２０はそれぞれ実施例４のズームレンズの広角端、中間のズーム位置、望遠端における収差図である。
【００３４】
図２１は本発明の実施例５のズームレンズの広角端におけるレンズ断面図である。図２２、図２３、図２４はそれぞれ実施例５のズームレンズの広角端、中間のズーム位置、望遠端における収差図である。
【００３５】
図２５は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
【００３６】
図１、図５、図９、図１３、図２１の実施例１、２、参考例１、実施例３、５のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。実施例１、２、参考例１、実施例３、５は４群ズームレンズである。
【００３７】
図１７の実施例４のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。実施例４は５群ズームレンズである。
【００３８】
各実施例と参考例１において、第３レンズ群Ｌ３は物体側から像側へ順に、正の屈折力の第３ａレンズ群Ｌ３ａと負の屈折力の第３ｂレンズ群Ｌ３ｂで構成されている。第３ｂレンズ群Ｌ３ｂは単一の負レンズより構成されている。
【００３９】
ＳＰは開口絞りであり、第３レンズ群Ｌ３の物体側に配置している。図１、図５、図９、図１３、図１７および、図２１においてＦＰはフレアー絞りであり、第３レンズ群Ｌ３の像側に配置しており、不要光を遮光している。
【００４０】
Ｇは光学フィルター、フェースプレート、水晶ローパスフィルター、赤外カットフィルター等に相当する光学ブロックである。
【００４１】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００４２】
収差図において、ｄ、ｇは各々ｄ線及びｇ線、ΔＭ，ΔＳはメリディオナル像面、サジタル像面、倍率色収差はｇ線によって表している。ωは半画角（撮影画角の半分の値）、ｆｎｏはＦナンバーである。
【００４３】
尚、以下の各実施例において広角端と望遠端は変倍用レンズ群が機構上光軸上を移動可能な範囲の両端に位置したときのズーム位置をいう。
【００４４】
各実施例では、広角端から望遠端へのズーミングに際して矢印のように第１〜第４レンズ群Ｌ１〜Ｌ４を移動させている。即ち、ズーミングに際して、第１、第２、第３、第４レンズ群Ｌ１〜Ｌ４が移動する。このとき、後述する各数値実施例に示すように第１レンズ群Ｌ１と第２レンズ群Ｌ２の間隔が変化し、第２レンズ群Ｌ２と第３レンズ群Ｌ３の間隔が変化し、第３レンズ群Ｌ３と第４レンズ群Ｌ４の間隔が変化するようにしている。
【００４５】
具体的には、各実施例では広角端から望遠端へのズーミングに際して矢印のように第１レンズ群Ｌ１を像側へ凸状の軌跡を描いて移動させている。第２レンズ群Ｌ２を像側へ、非直線的に移動させている。第３レンズ群Ｌ３を物体側へ移動させている。第４レンズ群Ｌ４を物体側に凸状の軌跡を描いて移動させている。
【００４６】
図１７の実施例４において第５レンズ群Ｌ５はズーミングに際して不動である。尚、第５レンズ群Ｌ５を必要に応じて他のレンズ群と独立に移動させても良い。
【００４７】
各実施例では、ズーミングに際し、広角端に比べて望遠端において第１レンズ群Ｌ１と第３レンズ群Ｌ３がいずれも物体側に位置する様に移動させている。これにより広角端におけるレンズ全長を短くしつつ、高い変倍比が得られるようにしている。
【００４８】
特に、各実施例では、ズーミングに際して第３レンズ群Ｌ３を物体側に移動させることにより、第３レンズ群Ｌ３に変倍分担を持たせている。更に正の屈折力の第１レンズ群Ｌ１を物体側へ移動することで第２レンズ群Ｌ２に大きな変倍効果を持たせて第１レンズ群Ｌ１、第２レンズ群Ｌ２の屈折力をあまり大きくすることなく１８倍以上の高ズーム比を得ている。
【００４９】
また、第４レンズ群Ｌ４を光軸上移動させてフォーカシングを行うリヤーフォーカス式を採用している。
【００５０】
望遠端において無限遠物体から近距離物体へフォーカスを行う場合には図１矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。
【００５１】
さらに、正の屈折力の第３ａレンズ群Ｌ３ａを光軸に対し垂直方向の成分を持つように移動させて、光軸に対し垂直方向に像を変移させている。これにより光学系（ズームレンズ）全体が振動（傾動）したときの撮影画像のぶれを補正している。
【００５２】
各実施例では、可変頂角プリズム等の光学部材や防振のためのレンズ群を新たに付加することなく防振を行うようにし、これによって光学系全体が大型化するのを防止している。
【００５３】
なお、各実施例では第３ａレンズ群Ｌ３ａを光軸と垂直方向に移動させて防振を行っているが、移動方式は第３ａレンズ群Ｌ３ａを光軸に対して垂直方向の成分を持つように移動させれば、画像のぶれを補正することが可能である。例えば鏡筒構造の複雑化を許容すれば、光軸上に回転中心を持つように第３ａレンズ群Ｌ３ａを回動させて防振を行っても良い。
【００５４】
なお、各実施例において開口絞りＳＰはズーミングに際して各レンズ群とは独立に移動している。これにより、広角端およびその近傍のズーム位置における中間像高からの画面周辺での光量の急峻な落ちを改善している。
【００５５】
第１レンズ群Ｌ１の有効レンズ径を小型にするためには、第１レンズ群Ｌ１を構成するレンズの数が少ない方が好ましい。第１レンズ群Ｌ１は物体側から像側へ順に、負、正、正レンズの３枚のレンズからなる。
【００５６】
具体的に各実施例においては、正レンズと負レンズの各１枚を接合した接合レンズと、正レンズより第１レンズ群Ｌ１を構成している。
【００５７】
これにより高ズーム比を図る際に発生する球面収差と色収差を良好に補正している。
【００５８】
第２レンズ群Ｌ２は、負レンズ、負レンズ、負レンズ、正レンズの４枚のレンズから成る。具体的に物体側の面が凸でメニスカス形状の負レンズ、物体側の面が凸でメニスカス形状の負レンズ、両レンズ面が凹形状の負レンズ、物体側の面が凸形状の正レンズの独立した４つのレンズより構成している。
【００５９】
これによってズーミング時の収差変動を少なくし、特に広角端における歪曲収差や望遠端における球面収差を良好に補正している。
【００６０】
各実施例では、正の屈折力の第３レンズ群Ｌ３を正の屈折力の第３ａレンズ群Ｌ３ａと負の屈折力の第３ｂレンズ群Ｌ３ｂに分割している。そして負の屈折力の第３ｂレンズ群Ｌ３ｂを用いた分だけ、第３ａレンズ群Ｌ３ａの正の屈折力を大きくしている。これにより、第３ａレンズ群Ｌ３ａの偏心敏感度を大きくして光学系全体がコンパクトとなるズームレンズを達成している。
【００６１】
第３ａレンズ群Ｌ３ａは少なくとも２枚の正レンズと１枚の負レンズを含んでいる。
【００６２】
具体的に、第３ａレンズ群Ｌ３ａは物体側から像側へ順に、正レンズ、像面側の面が凹形状の負レンズ、正レンズより構成している。又は正レンズ、像面側の面が凹形状の負レンズ、負レンズと正レンズとを接合した貼り合わせレンズから構成している。これによって主に望遠端における球面収差・コマ収差を良好に補正している。また防振時には、偏芯収差の発生量を抑え、防振の際の光学性能を良好にしている。
【００６３】
第３ｂレンズ群Ｌ３ｂはメニスカス形状の単一の負レンズからなっている。第３ｂレンズ群Ｌ３ｂは中間変倍域（中間のズーム領域）における像面湾曲の補正および、第３ａレンズ群Ｌ３ａの防振敏感度（防振レンズ群が光軸と垂直な方向へ１ｍｍ移動した際の像面の垂直方向への移動量と定義する。）を向上させている。又、同時に、第４レンズ群Ｌ４のフォーカス敏感度（フォーカスレンズ群が光軸方向へ１ｍｍ移動した際に光軸方向の像面の移動量と定義する。）の向上に寄与している。これにより、第３レンズ群Ｌ３のコンパクト化（小型化）および構造の簡略化を図っている。また第４レンズ群Ｌ４の物体距離全体におけるフォーカス移動量を短縮し、鏡筒の小型化を図っている。
【００６４】
第３レンズ群Ｌ３は１以上の非球面を有している。これによってズーミングに伴う収差変動を良好に補正している。
【００６５】
第４レンズ群Ｌ４は物体側の面が凸形状の１枚の正レンズまたは正レンズと負レンズとを接合した貼りあわせレンズより構成している。
【００６６】
図１７の実施例４では最も像面側に像面に対してズーミングの際に不動（固定）の正の屈折力の第５レンズ群Ｌ５を配置して像面湾曲などの諸収差の補正、前玉径の小型化、および、変倍に寄与している。
【００６７】
各実施例のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４の少なくとも４つのレンズ群を有している。
【００６８】
そして広角端から望遠端へのズーミング（変倍）に際して、少なくとも第１レンズ群を移動させている。そして第３レンズ群Ｌ３を物体側より像側へ順に、正の屈折力の第３ａレンズ群と負の屈折力の第３ｂレンズ群より構成している。そして、第３ｂレンズ群を単一の負レンズで構成している。そして第３ａレンズ群Ｌ３ａを光軸に対し垂直方向の成分を持つように移動させて該ズームレンズが振動したときの画像のブレを補正している。
【００６９】
第１レンズ群Ｌ１を移動して変倍することで、広角端におけるレンズ全長を短縮し、かつ前玉径の小型化を図り、全体のコンパクト化を図っている。また正の屈折力の第３レンズ群Ｌ３中の相対的に屈折力の強い正の屈折力の第３ａレンズ群Ｌ３ａで防振を行っている。これにより、例えば第３ｂレンズ群Ｌ３ｂで防振するよりも垂直方向の移動量が少なくなり、第３レンズ群Ｌ３を構成するレンズの有効径および防振ユニットの小型化を図っている。さらに、第３レンズ群Ｌ３全体で防振するよりも軽量化することができる。また、負の屈折力の第３ｂレンズ群Ｌ３ｂにより、第３ａレンズ群Ｌ３ａの防振敏感度および、第４レンズ群Ｌ４のフォーカス敏感度を向上させている。
【００７０】
これにより防振時の第３ａレンズ群Ｌ３ａの垂直方向成分への移動量の短縮、およびフォーカス時における第４レンズ群Ｌ４のフォーカスストロークの短縮を図っている。
【００７１】
また第３ｂレンズ群Ｌ３ｂを単一の負レンズ１枚で構成することにより、第３レンズ群Ｌ３の鏡筒構造の簡素化および、第３レンズ群Ｌ３の光軸方向の厚みを小さくし、小型化を図っている。さらに、単一の負レンズである第３ｂレンズ群Ｌ３ｂは各レンズ群の移動に伴う像面湾曲の補正をズーム全域で行っている。例えば、第３ｂレンズ群Ｌ３ｂを正レンズと負レンズとを接合した貼りあわせレンズなどで構成するとレンズ群の厚み方向が増大だけでなく、色収差と像面湾曲の補正の両立が困難になる。色収差を補正しようとすると、特にズーム中間域における像面湾曲が悪化する。
【００７２】
各実施例では以上の構成にすることで、画像のぶれを補正するために、レンズ群を偏芯させた時の偏芯収差の発生量が少なく、高い光学性能を維持しつつ、良好に防振を行うことができるズームレンズおよびそれを用いた撮像装置（光学機器）を達成している。
【００７３】
特にズームレンズを構成する一部のレンズ群を光軸に対し垂直方向の成分を持つように移動させている。これにより、該ズームレンズが振動（傾動）した時の撮影画像の安定化を図ったデジタルカメラ、ビデオカメラや電子スチルカメラ、銀塩写真カメラなどに好適なズームレンズを得ている。
【００７４】
各実施例によれば以上の如く構成することにより、高ズーム比で防振時においてズーム全域にわたり高い光学性能を有した小型のズームレンズを得ることができる。
【００７５】
本発明において、更に好ましくは次の諸条件のうちの１以上を満足するのが良い。
【００７６】
第１、第２、第３、第４レンズ群Ｌ１、Ｌ２、Ｌ３、Ｌ４の焦点距離を順にｆ１、ｆ２ｆ３、ｆ４とする。広角端と望遠端における全系の焦点距離を各々ｆｗ、ｆｔとする。
【００７７】
第３ａレンズ群と第３ｂレンズ群の焦点距離を各々ｆ３ａ、ｆ３ｂとする。
【００７８】
このとき、
１１．９６２≦ｆ１／ｆｗ＜２０．０ ‥‥‥（１）
０．３＜ｆ３ａ／ｆ４＜０．８ ‥‥‥（２）
−０．６＜ｆ３ａ／ｆ３ｂ＜−０．１ ‥‥‥（３）
２．５＜ｆ１／ｆ３＜４．５ ‥‥‥（４）
０．２＜ｆ３／ｆ４＜１．０ ‥‥‥（５）
１８．０＜ｆｔ／ｆｗ＜４０．０ ‥‥‥（６）
なる条件式のうち１以上を満足するのが良い。次に各条件式の技術的意味について説明する。
【００７９】
条件式（１）は全系を小型にしつつ高ズーム比化するために、変倍に寄与する第１レンズ群Ｌ１の焦点距離ｆ１と広角端における全系の焦点距離ｆｗの焦点距離の比を適切に定めたものである。
【００８０】
条件式（１）の下限を超えて第１レンズ群Ｌ１の焦点距離ｆ１が短くなると、主に望遠端において軸上色収差、倍率色収差、球面収差等が悪化してくる。また、第１レンズ群Ｌ１を構成する正レンズのコバの厚みを確保するのが困難になり、製造のためにレンズ外径を大きくしなければならなくなるので良くない。
【００８１】
逆に上限を超えて第１レンズ群Ｌ１の焦点距離ｆ１が長くなるとズーミング時における第１レンズ群Ｌ１の移動量が大きくなり、レンズ全体のコンパクト化が困難になる。また移動量の増大に伴い、ズーム時の像ゆれ、振動音などが生じてくるので良くない。
【００８２】
条件式（２）は全系を小型化しつつ高ズーム比化するために、変倍に寄与する第３レンズ群Ｌ３を構成する第３ａレンズ群Ｌ３ａの焦点距離ｆ３ａおよび第４レンズ群Ｌ４の焦点距離ｆ４の比を適切に定めたものである。
【００８３】
条件式（２）の下限を超えて第３ａレンズ群Ｌ３ａの焦点距離ｆ３ａが短くなると第４レンズ群Ｌ４のパワー（屈折力）が弱くなり、ズーミング時およびフォーカス時に第４レンズ群Ｌ４の移動量が大きくなるため、レンズ全長が増大してくるので良くない。また第３ａレンズ群Ｌ３ａの屈折力が大きくなるため、主に球面収差やコマ収差の補正が困難になる。また、第３ａレンズ群Ｌ３ａの偏芯敏感度が高くなるため、防振時のコマ収差や像面湾曲などの補正が困難になる。また、防振時の第３ａレンズ群Ｌ３ａの中心位置決め精度などが厳しくなり、製造が困難になる。
【００８４】
逆に上限を超えて第３ａレンズ群Ｌ３ａの焦点距離ｆ３ａが長くなると第３ａレンズ群Ｌ３ａの変倍分担比が小さくなるため、高ズーム比化が困難になる。また、防振時における光軸に対して垂直方向への移動量が大きくなり、第３レンズ群Ｌ３のレンズ径が増大してくるので良くない。
【００８５】
条件式（３）は防振時の光学性能を良好にし、第３レンズ群Ｌ３全体のコンパクト化を図るために第３ａレンズ群Ｌ３ａとの焦点距離ｆ３ａと第３ｂレンズ群Ｌ３ｂの焦点距離ｆ３ｂの比を適切に定めたものである。
【００８６】
条件式（３）の下限を超えて第３ａレンズ群Ｌ３ａの焦点距離ｆ３ａが短くなると主に、球面収差やコマ収差の補正が困難になる。また、第３ａレンズ群Ｌ３ａの偏芯敏感度が高くなるため、防振時の光学性能が悪化してくる。さらに防振時の第３ａレンズ群Ｌ３ａの中心位置決め精度などが厳しくなり、製造が困難になる。
【００８７】
逆に上限を超えて第３ｂレンズ群Ｌ３ｂの焦点距離ｆ３ｂが長くなると第３ａレンズ群Ｌ３ａの防振敏感度を向上させるのが難しくなる。また、ズーム全域にわたり、主に像面湾曲とコマ収差の補正が困難になる。
【００８８】
条件式（４）は全系を小型にしつつ高ズーム比化するために、変倍に寄与する第１レンズ群Ｌ１の焦点距離ｆ１と第３レンズ群Ｌ３の焦点距離ｆ３の比を適切に定めたものである。
【００８９】
条件式（４）の下限を超えて第１レンズ群Ｌ１の焦点距離ｆ１が短くなると、主に望遠端における軸上色収差、倍率色収差、球面収差等が悪化してくる。また、第１レンズ群Ｌ１を構成する正レンズのコバの厚みを確保するのが困難になり、製造のためにレンズ外径を大きくしなければならなくなるので良くない。
【００９０】
さらに、第３レンズ群Ｌ３の焦点距離ｆ３が長くなると主に、球面収差、コマ収差の補正が困難になる。
【００９１】
逆に上限を超えて第１レンズ群Ｌ１の焦点距離ｆ１が長くなるとズーミング時における第１レンズ群Ｌ１の移動量が大きくなり、レンズ全体のコンパクト化が困難になる。また移動量の増大に伴い、ズーム時の像ゆれ、振動音などが生じてくるので良くない。また第３レンズ群Ｌ３の焦点距離ｆ３が短くなると、第４レンズ群Ｌ４に入る光線の入射角度が大きくなるため、第４レンズ群Ｌ４でフォーカスをしたときにフォーカスによる光学性能の変化が大きくなる。さらに第３レンズ群Ｌ３の偏芯に対する敏感度が高くなり、製造・組立が困難になってくる。
【００９２】
条件式（５）は全系を小型化しつつ高ズーム比化するために、変倍に寄与する第３レンズ群Ｌ３の焦点距離ｆ３および第４レンズ群Ｌ４の焦点距離ｆ４の比を適切に定めたものである。
【００９３】
条件式（５）の下限を超えて第３レンズ群Ｌ３の焦点距離ｆ３が短くなると相対的に第４レンズ群Ｌ４の屈折力が弱くなり、特に望遠端において第４レンズ群Ｌ４のフォーカスに伴うストロークが大きくなるため、レンズ全長が増大してくるので良くない。
【００９４】
また第３レンズ群Ｌ３の屈折力が大きくなるため、主に球面収差やコマ収差の補正が困難になる。
【００９５】
また、第３レンズ群Ｌ３の焦点距離ｆ３が短くなると、主に望遠端でフォーカスした際に第４レンズ群Ｌ４に入る光線の入射角度の変動が大きくなり、物体距離の変動による光学性能の変動大きくなるため好ましくない。
【００９６】
逆に上限を超えて第３レンズ群Ｌ３の焦点距離ｆ３が長くなると第３レンズ群Ｌ３の変倍分担比が小さくなるため、高ズーム比化が困難になる。また、主に球面収差、コマ収差の補正が困難になる。さらに第４レンズ群Ｌ４の焦点距離ｆ４が短くなると、撮像面に入る光線のズーミングに伴う変動が大きくなり、色シェーディングが発生してくるため良くない。
【００９７】
条件式（６）はズーム比に関し、主に第３レンズ群Ｌ３を正の第３ａレンズ群Ｌ３ａと負の第３ｂレンズ群Ｌ３ｂに分割し、正の第３ａレンズ群Ｌ３ａで防振する際に、効果的に防振するためのものである。
【００９８】
条件式（６）の下限を超えて焦点距離ｆｔが焦点距離ｆｗに比べて小さくなると（ズーム比が小さくなると）、防振の際に第３ａレンズ群Ｌ３ａの垂直方向への移動量が小さくなるため、第３レンズ群Ｌ３全体で防振する効果との差が小さくなるので良くない。
【００９９】
逆に上限を超えて焦点距離ｆｔが焦点距離ｆｗに比べて大きくなると（ズーム比が大きくなると）、防振する際の第３ａレンズ群Ｌ３ａ群の垂直方向への移動量が大きくなり、防振時の光学性能の劣化が顕著になり、良くない。
【０１００】
尚、各実施例において、更に収差補正及びズーミングの際の収差変動を小さくしつつレンズ系全体の小型化を図るには、条件式（１）〜（６）の数値範囲を次の如く設定するのが好ましい。
【０１０１】
１１．９６２≦ｆ１／ｆｗ＜１８．０ ・・・（１ａ）
０．３５＜ｆ３ａ／ｆ４＜０．７０ ・・・（２ａ）
−０．５５＜ｆ３ａ／ｆ３ｂ＜−０．１５ ・・・（３ａ）
２．７＜ｆ１／ｆ３＜４．２ ・・・（４ａ）
０．３０＜ｆ３／ｆ４＜０．８５ ・・・（５ａ）
１８．５＜ｆｔ／ｆｗ＜３５．０ ・・・（６ａ）
【０１０２】
以上のように各実施例によれば、画像のぶれを補正するために、第３レンズ群Ｌ３を２つのレンズ群に適切に分割し、各レンズ群のパワー配置を適切にしている。これにより偏芯させた時の偏芯収差の発生量が少なく、高い光学性能を維持した防振機能を有したズームレンズが得られる。特に本発明によれば望遠端における防振時の光学性能を良好に維持することができる。
【０１０３】
次に、本発明の実施例１、２、参考例１、実施例３乃至５に各々対応する数値実施例１〜６を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【０１０４】
またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６
＋Ａ８ｈ８＋Ａ１０ｈ１０
で表示される。
【０１０５】
但しＲは近軸曲率半径である。また例えば「Ｅ−Ｚ」の表示は「１０−Ｚ」を意味する。
【０１０６】
数値実施例において最後の２つの面は、フィルター、フェースプレート等の光学ブロックの面である。
【０１０７】
各実施例において、バックフォーカス（ＢＦ）はレンズ最終面から近軸像面までの距離を空気換算長により表したものである。レンズ全長は最も物体側の面から最終面までの距離にバックフォーカスを加えたものである。数値実施例１〜４のｄ２８と数値実施例５、６のｄ２８は像面までの距離である。
【０１０８】
また、各数値実施例における上述した条件式との対応を表１に示す。
【０１０９】
数値実施例1
面データ
面番号       r        d      nd         νd
1         76.150    1.80   1.80610    33.3           
2         37.320    6.30   1.49700    81.5           
3       -839.796    0.20                             
4         36.109    4.25   1.60311    60.6           
5        156.842  (可変)                             
6         54.202    1.00   1.88300    40.8           
7         11.015    2.10                             
8         28.090    0.80   1.88300    40.8           
9          9.248    3.60                             
10        -27.934    0.70   1.80610    33.3           
11         64.007    0.20                             
12         20.074    2.40   1.92286    18.9           
13        -96.663  (可変)                             
14(絞り)    ∞     (可変)                             
15*        10.150    3.20   1.58313    59.4           
16        -62.532    2.82                             
17         30.340    0.80   1.80610    33.3           
18         10.076    0.50                             
19         18.258    0.70   2.00069    25.5           
20          8.638    2.70   1.71999    50.2           
21        -35.972    0.50                             
22         86.235    0.70   1.58313    59.4           
23         30.000    0.30                             
24(FP)      ∞     (可変)                             
25*        20.173    2.00   1.58313    59.4           
26        388.237  (可変)                             
27          ∞       1.00   1.51633    64.1           
28          ∞                                        
非球面データ
第15面
K  =-5.09950e-001  A 4=-6.19890e-005  A 6= 4.89106e-007 
A 8=-6.83395e-008  A10= 2.12024e-009  
第25面
K  =-2.71019e+000  A 4= 3.64245e-005  A 6= 3.16922e-007 
A 8=-6.60093e-009  
各種データ
ズーム比     19.08 
広角     中間     望遠
焦点距離       5.13    17.56    97.76  
Fナンバー      2.87     3.59     5.84  
画角          37.09    12.45     2.27  
像高           3.88     3.88     3.88  
レンズ全長    87.05    92.42   119.09  
BF            10.07    17.02     9.34  
d 5            0.70    21.82    41.22  
d13           26.46     8.88     2.04  
d14            7.79     3.75     1.10  
d24            4.46     3.39    27.82  
d26            8.41    15.36     7.68  
d28            1.00     1.00     1.00  
ズームレンズ群データ
群  始面    焦点距離  
1    1      63.49  
2    6      -9.38  
3   15      19.45  
4   25      36.42  
【０１１０】
数値実施例2
面データ
面番号       r        d      nd         νd
1         86.433    1.80   1.80610    33.3           
2         41.692    6.25   1.49700    81.5           
3       -480.535    0.20                             
4         37.627    4.10   1.60311    60.6           
5        126.596  (可変)                             
6         43.256    1.00   1.88300    40.8           
7         10.771    2.10                             
8         31.081    0.80   1.88300    40.8           
9          9.486    3.60                             
10        -28.214    0.70   1.80610    33.3           
11        107.446    0.20                             
12         20.755    2.40   1.92286    18.9           
13       -121.587  (可変)                             
14(絞り)    ∞     (可変)                             
15*         9.768    3.20   1.58313    59.4           
16        -53.234    2.73                             
17         36.132    0.70   1.80610    33.3           
18          9.566    0.50                             
19         17.292    0.70   2.00069    25.5           
20          8.781    2.70   1.71999    50.2           
21        -31.232    0.40                             
22       -203.125    0.70   1.69680    55.5           
23         61.553    0.30                             
24(FP)      ∞     (可変)                             
25         20.699    1.80   1.58313    59.4           
26        187.324  (可変)                             
27          ∞       1.00   1.51633    64.1           
28          ∞                                        
非球面データ
第15面
K  =-4.50746e-001  A 4=-7.56392e-005  A 6= 6.03037e-007 
A 8=-7.75261e-008  A10= 2.12024e-009  
各種データ
ズーム比     19.07 
広角     中間     望遠
焦点距離       5.12    14.48    97.73  
Fナンバー      2.83     3.52     5.87  
画角          37.09    14.98     2.27  
像高           3.88     3.88     3.88  
レンズ全長    87.50    93.61   124.13  
BF            10.07    15.26    10.24  
d 5            0.70    20.73    45.71  
d13           27.52    12.08     1.96  
d14            7.85     3.81     1.10  
d24            4.48     4.85    28.23  
d26            8.41    13.60     8.58  
d28            1.00     1.00     1.00  
ズームレンズ群データ
群  始面    焦点距離  
1    1      70.00  
2    6      -9.80  
3   15      19.27  
4   25      39.75  
【０１１１】
数値実施例3
面データ
面番号       r        d      nd         νd
1         67.094    1.80   1.80610    33.3           
2         31.683    6.25   1.49700    81.5           
3       -370.584    0.20                             
4         29.958    4.10   1.60311    60.6           
5        132.718  (可変)                             
6         74.017    1.00   1.88300    40.8           
7         11.680    2.10                             
8         28.702    0.80   1.88300    40.8           
9          8.086    3.60                             
10        -22.265    0.70   1.80610    33.3           
11         65.869    0.20                             
12         19.756    2.40   1.92286    18.9           
13        -66.184  (可変)                             
14(絞り)    ∞     (可変)                             
15*         8.855    3.20   1.58313    59.4           
16        -21.744    2.74                             
17         71.030    0.70   1.80610    33.3           
18          8.465    0.50                             
19         14.132    0.70   2.00069    25.5           
20          7.007    2.70   1.71999    50.2           
21        -29.089    0.40                             
22        -68.175    0.70   1.69680    55.5           
23         34.073    0.30                             
24(FP)      ∞     (可変)                             
25         15.607    1.80   1.58313    59.4           
26      -1661.846  (可変)                             
27          ∞       1.00   1.51633    64.1           
28          ∞                                        
非球面データ
第15面
K  =-7.52773e-001  A 4=-1.16164e-004  A 6= 4.08440e-007 
A 8=-8.49947e-008  A10= 2.12024e-009  
各種データ
ズーム比     19.03 
広角     中間     望遠
焦点距離       5.12    16.26    97.51  
Fナンバー      2.87     3.57     5.88  
画角          37.09    13.40     2.28  
像高           3.88     3.88     3.88  
レンズ全長    78.71    83.00   103.94  
BF             8.14    14.45     6.72  
d 5            0.70    17.17    33.58  
d13           20.75     7.38     1.99  
d14            7.85     3.95     1.09  
d24            4.38     3.15    23.66  
d26            6.48    12.79     5.06  
d28            1.00     1.00     1.00  
ズームレンズ群データ
群  始面    焦点距離  
1    1      52.10  
2    6      -8.15  
3   15      17.32  
4   25      26.53  
【０１１２】
数値実施例4
面データ
面番号       r        d      nd         νd
1         76.853    1.80   1.80610    33.3           
2         37.763    6.25   1.49700    81.5           
3       -701.616    0.20                             
4         36.812    4.10   1.60311    60.6           
5        146.181  (可変)                             
6         30.428    1.00   1.88300    40.8           
7         11.277    2.10                             
8         48.826    0.80   1.88300    40.8           
9*         8.394    3.60                             
10        -22.994    0.70   1.80610    33.3           
11        316.236    0.20                             
12         20.671    2.40   1.92286    18.9           
13        -91.802  (可変)                             
14(絞り)    ∞     (可変)                             
15*         8.949    3.20   1.58313    59.4           
16        -28.863    2.70                             
17         80.993    0.70   1.80610    33.3           
18          8.343    0.50                             
19         13.373    0.70   2.00069    25.5           
20          7.527    2.70   1.71999    50.2           
21        -30.782    0.40                             
22        -61.127    0.70   1.69680    55.5           
23         40.314    0.30                             
24(FP)      ∞     (可変)                             
25         16.450    1.80   1.58313    59.4           
26       -242.919  (可変)                             
27          ∞       1.00   1.51633    64.1           
28          ∞                                        
非球面データ
第9面
K  =-8.30991e-002  A 4= 1.64759e-005  A 6= 1.88717e-007 
A 8= 1.53904e-009  
第15面
K  =-2.82137e-001  A 4=-1.46812e-004  A 6= 3.66270e-007 
A 8=-9.25941e-008  A10= 2.12024e-009  
各種データ
ズーム比     23.34 
広角     中間     望遠
焦点距離       5.12    12.18   119.63  
Fナンバー      2.75     3.41     5.87  
画角          37.09    17.65     1.86  
像高           3.88     3.88     3.88  
レンズ全長    83.85    89.80   119.45  
BF             9.24    12.71     6.10  
d 5            0.70    15.45    44.85  
d13           24.81    12.59     2.88  
d14            7.85     4.64     1.18  
d24            4.39     7.56    27.58  
d26            7.58    11.05     4.44  
d28            1.00     1.00     1.00  
ズームレンズ群データ
群  始面    焦点距離  
1    1      65.42  
2    6      -9.23  
3   15      19.20  
4   25      26.49  
【０１１３】
数値実施例5
面データ
面番号       r        d      nd         νd
1         76.193    1.80   1.80610    33.3           
2         37.010    6.30   1.49700    81.5           
3       -702.777    0.20                             
4         35.961    4.25   1.60311    60.6           
5        156.906  (可変)                             
6         50.721    1.00   1.88300    40.8           
7         10.920    2.10                             
8         35.606    0.80   1.88300    40.8           
9          9.387    3.60                             
10        -36.860    0.70   1.80610    33.3           
11         52.442    0.20                             
12         18.975    2.40   1.92286    18.9           
13       -151.791  (可変)                             
14(絞り)    ∞     (可変)                             
15*        11.623    3.20   1.58313    59.4           
16        -83.577    4.30                             
17         25.898    0.80   1.92286    18.9           
18         10.684    0.50                             
19         26.374    2.00   1.77250    49.6           
20        -33.636    0.40                             
21        131.126    0.70   1.60311    60.6           
22         33.819    0.30                             
23(FP)      ∞     (可変)                             
24*        20.173    2.00   1.58313    59.4           
25        143.976  (可変)                             
26        -44.207    1.80   1.51633    64.1           
27        -25.803    1.51                             
28          ∞       1.00   1.51633    64.1           
29          ∞                                        
非球面データ
第15面
K  = 4.94320e-002  A 4=-9.60062e-005  A 6= 2.70978e-007 
A 8=-6.86180e-008  A10= 2.12024e-009  
第24面
K  =-1.85504e+000  A 4= 2.44173e-005  A 6= 3.02251e-007 
A 8=-3.36277e-009  
各種データ
ズーム比     19.50 
広角     中間     望遠
焦点距離       5.13    17.55    99.93  
Fナンバー      2.87     3.57     5.82  
画角          37.09    12.45     2.22  
像高           3.88     3.88     3.88  
レンズ全長    88.36    93.74   120.40  
BF             3.17     3.17     3.17  
d 5            0.70    21.82    41.22  
d13           26.37     8.79     1.95  
d14            7.79     3.75     1.10  
d23            4.48     3.06    29.25  
d25            6.50    13.81     4.37  
d29            1.00     1.00     1.00  
ズームレンズ群データ
群  始面    焦点距離  
1    1      63.04  
2    6      -9.33  
3   15      19.96  
4   24      39.99  
5   26     116.17  
【０１１４】
数値実施例6
単位 mm
面データ
面番号       r        d      nd         νd
1         72.147    1.80   1.80610    33.3           
2         35.110    6.30   1.49700    81.5           
3      -1895.867    0.20                             
4         35.096    4.20   1.60311    60.6           
5        174.495  (可変)                             
6         52.397    1.00   1.88300    40.8           
7         11.150    2.10                             
8         30.450    0.80   1.88300    40.8           
9          9.110    3.60                             
10        -26.688    0.70   1.80610    33.3           
11         79.207    0.20                             
12         20.565    2.30   1.92286    18.9           
13        -94.030  (可変)                             
14(絞り)    ∞     (可変)                             
15*        10.132    3.20   1.58313    59.4           
16*       -57.516    3.01                             
17         26.728    0.80   1.80610    33.3           
18         10.549    0.50                             
19         19.583    0.70   2.00330    28.3           
20          7.632    2.70   1.71999    50.2           
21        -36.695    0.50                             
22       -271.272    0.70   1.58313    59.4           
23         56.380    0.30                             
24(FP)      ∞     (可変)                             
25*        20.173    2.40   1.77250    49.6           
26        -23.872    0.60   1.83400    37.2           
27        124.132  (可変)                             
28          ∞       1.00   1.51633    64.1           
29          ∞                                        
非球面データ
第15面
K =-6.04956e-001  A 4=-6.13122e-005  A 6= 7.43105e-007 
A 8=-6.93878e-008  A10= 2.12024e-009  
第16面
K =-1.57825e+000  A 4=-1.17070e-005  A 6= 2.31644e-007 
A 8=-9.19245e-010  
第25面
K = 5.70981e-002  A 4=-2.84712e-006  A 6= 3.28630e-007 
A 8=-6.43908e-009  
各種データ
ズーム比     19.13 
広角     中間     望遠
焦点距離       5.12    17.06    97.98  
Fナンバー      2.87     3.55     5.80  
画角          37.12    12.80     2.26  
像高           3.88     3.88     3.88  
レンズ全長    85.51    90.53   116.56  
BF             9.27    15.83     7.59  
d 5            0.70    20.61    39.90  
d13           24.03     7.55     1.13  
d14            8.72     4.68     2.03  
d24            4.18     3.24    27.30  
d27            7.61    14.18     5.93  
d29            1.00     1.00     1.00  
ズームレンズ群データ
群  始面    焦点距離  
1    1      61.25  
2    6      -9.21  
3   15      19.25  
4   25      33.83  
【０１１５】
【表１】
0005178322.tif 000002
【０１１６】
次に各実施例に示したようなズームレンズを撮影光学系として用いたデジタルスチルカメラの実施形態を図２５を用いて説明する。
【０１１７】
図２５において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【０１１８】
このように本発明のズームレンズをデジタルスチルカメラ等の撮像装置に適用することにより、小型で高い光学性能を有する撮像装置が実現できる。
【図面の簡単な説明】
【０１１９】
【図１】本発明の実施例１の広角端におけるレンズ断面図
【図２】本発明の実施例１に対応する数値実施例１の広角端の収差図
【図３】本発明の実施例１に対応する数値実施例１の中間のズーム位置の収差図
【図４】本発明の実施例１に対応する数値実施例１の望遠端の収差図
【図５】本発明の実施例２の広角端におけるレンズ断面図
【図６】本発明の実施例２に対応する数値実施例２の広角端の収差図
【図７】本発明の実施例２に対応する数値実施例２の中間のズーム位置の収差図
【図８】本発明の実施例２に対応する数値実施例２の望遠端の収差図
【図９】本発明の参考例１の広角端におけるレンズ断面図
【図１０】本発明の参考例１に対応する数値実施例３の広角端の収差図
【図１１】本発明の参考例１に対応する数値実施例３の中間のズーム位置の収差図
【図１２】本発明の参考例１に対応する数値実施例３の望遠端の収差図
【図１３】本発明の実施例３の広角端におけるレンズ断面図
【図１４】本発明の実施例３に対応する数値実施例４の広角端の収差図
【図１５】本発明の実施例３に対応する数値実施例４の中間のズーム位置の収差図
【図１６】本発明の実施例３に対応する数値実施例４の望遠端の収差図
【図１７】本発明の実施例４の広角端におけるレンズ断面図
【図１８】本発明の実施例４に対応する数値実施例５の広角端の収差図
【図１９】本発明の実施例４に対応する数値実施例５の中間のズーム位置の収差図
【図２０】本発明の実施例４に対応する数値実施例５の望遠端の収差図
【図２１】本発明の実施例５の広角端におけるレンズ断面図
【図２２】本発明の実施例５に対応する数値実施例６の広角端の収差図
【図２３】本発明の実施例５に対応する数値実施例６の中間のズーム位置の収差図
【図２４】本発明の実施例５に対応する数値実施例６の望遠端の収差図
【図２５】本発明の撮像装置の概略図
【符号の説明】
【０１２０】
Ｌ１  第１レンズ群
Ｌ２  第２レンズ群
Ｌ３  第３レンズ群
Ｌ４  第４レンズ群
ｄ    ｄ線
ｇ    ｇ線
ΔＭ  メリディオナル像面
ΔＳ  サジタル像面
ＳＰ  絞り
ＦＰ  フレアーカット絞り
Ｇ    ＣＣＤのフォースプレートやローパスフィルター等のガラスブロック
ω    半画角
ｆｎｏ  Ｆナンバー
【図１】
0005178322.tif 000003
【図２】
0005178322.tif 000004
【図３】
0005178322.tif 000005
【図４】
0005178322.tif 000006
【図６】
0005178322.tif 000007
【図７】
0005178322.tif 000008
【図８】
0005178322.tif 000009
【図９】
0005178322.tif 000010
【図１０】
0005178322.tif 000011
【図１１】
0005178322.tif 000012
【図１２】
0005178322.tif 000013
【図１３】
0005178322.tif 000014
【図１４】
0005178322.tif 000015
【図１５】
0005178322.tif 000016
【図１６】
0005178322.tif 000017
【図１７】
0005178322.tif 000018
【図１８】
0005178322.tif 000019
【図１９】
0005178322.tif 000020
【図２０】
0005178322.tif 000021
【図２１】
0005178322.tif 000022
【図２２】
0005178322.tif 000023
【図２３】
0005178322.tif 000024
【図２４】
0005178322.tif 000025
【図２５】
0005178322.tif 000026
【図５】
0005178322.tif 000027